(57)【要約】【課題】反射板の高さを低くしながらも反射板で反射する光の光量を増やすことが可能で、且つ、照射むらが生じるのを低減可能な照明器具を提供する。【解決手段】照明器具は、ＬＥＤ光源部６と、ＬＥＤ光源部６からの光を所望の配光となるように制御する光学系１とを備えている。光学系１は、ＬＥＤ光源部６の光取り出し面側を覆うレンズ２と、レンズ２の周部を覆う椀状の反射板３とで構成されている。レンズ２は、ＬＥＤ光源部６の光軸Ａ１に交差する第１レンズ部２ａと、ＬＥＤ光源部６と反射板３の反射面３ａとの間に位置しＬＥＤ光源部６を囲む第２レンズ部２ｂとを有している。第１レンズ部２ａの光入射面には、円錐状の第１凹部５が複数設けられている。各第１凹部５の深さ寸法は、第１レンズ部２ａの外周側ほど大きくし、第１レンズ部２ａの中心側ほど小さくしてある。【選択図】図１
2014011015.tif 000002
【特許請求の範囲】
【請求項１】
ＬＥＤ光源部と、前記ＬＥＤ光源部からの光を所望の配光となるように制御する光学系とを備え、前記光学系は、前記ＬＥＤ光源部の光取り出し面側を覆うレンズと、前記レンズの周部を覆う椀状の反射板とで構成され、前記レンズは、前記ＬＥＤ光源部の光軸に交差する第１レンズ部と、前記ＬＥＤ光源部と前記反射板の反射面との間に位置し前記ＬＥＤ光源部を囲む第２レンズ部とを有し、前記第１レンズ部の光入射面に、円錐状の第１凹部が複数設けられ、前記各第１凹部の深さ寸法を、前記第１レンズ部の外周側ほど大きくし、前記第１レンズ部の中心側ほど小さくしてあることを特徴とする照明器具。
【請求項２】
前記光入射面の中央部は、平面状であることを特徴とする請求項１記載の照明器具。
【請求項３】
前記第１レンズ部の光出射面に、前記ＬＥＤ光源部からの光を前記ＬＥＤ光源部の光軸に対する角度が大きくなる方向に屈折させるための第２凹部が設けられてなることを特徴とする請求項１または請求項２記載の照明器具。
【請求項４】
前記第２凹部は、円錐状であることを特徴とする請求項３記載の照明器具。
【発明の詳細な説明】
【技術分野】
【０００１】
本発明は、照明器具に関するものである。
【背景技術】
【０００２】
従来から、光源からの光を反射する反射板を設けることで所望の配光が得られるようにした照明器具が知られている。
【０００３】
この種の照明器具としては、例えば、図９に示すように、ＬＥＤモジュール等からなる一対の発光装置５２，５２と、ヒートシンク５３と、凹面反射鏡５４をなす一対の凹面鏡部材５４ａ，５４ａとを備えたスポットライト５１が提案されている（特許文献１）。
【０００４】
ヒートシンク５３は、略円板状のベース部５６ａに板状の放熱フィン５６ｂを複数突設して形成されたヒートシンク本体５６と、ベース部５６ａからスポットライト５１の光の出射方向（図９では、下方向）に突出された受熱部５７とを備えている。
【０００５】
受熱部５７は、ヒートシンク本体５６と同種または異種の金属により略長四角形状に形成されており、ベース部５６ａの中心を通ってこのベース部５６ａの径方向に延びていて、且つ、放熱フィン５６ｂと平行に設けられている。また、受熱部５７は、複数のねじ等の連結具５８によりベース部５６ａに連結されている。受熱部５７の両側面５７ａ，５７ａには、発光装置５２がそれぞれ固定されている。ここで、特許文献１には、受熱部５７の両側面５７ａ，５７ａ間の厚みが、４〜１５ｍｍであると記載されている。
【０００６】
一対の凹面鏡部材５４ａ，５４ａは、受熱部５７の両側に、この受熱部５７を境にして線対称に配置されており、各発光装置５２から放射された光をスポットライト５１の光軸５９に平行に反射させる。
【０００７】
また、照明器具に関するものとして、例えば、図１０に示す構成を有する照明装置が提案されている（特許文献２）。この照明装置は、ＬＥＤのような光源６１と、レンズ６２と、レンズ６２からの光を光源６１の主光軸線６０の方向に反射するためのリフレクタ６３とを有している。
【０００８】
レンズ６２は、光源６１から放射された光が入射する入射面６２ａと、入射面６２ａから入射した光を主光軸線６０から離れる側へ反射する反射面６２ｂと、反射面６２ｂで反射した光を主光軸線６０から離れる側へ出射する出射面６２ｄとを有している。また、レンズ６２は、光源６１から放射された光を主光軸線６０から離れる側へ反射するために形成された反射面６２ｃを有している。ここで、特許文献２には、反射面６２ｃにアルミ蒸着が施されている旨が記載されている。
【０００９】
リフレクタ６３は、レンズ６２の反射面６２ｂからの光を光源６１の主光軸線６０の方向へ反射する反射面６３ａと、レンズ６２の反射面６２ｃからの光を主光軸線６０の方向へ反射する反射面６３ｂとを有している。
【先行技術文献】
【特許文献】
【００１０】
【特許文献１】特開２０１１−１１３８１４号公報
【特許文献２】特許第４６５１１０５号公報
【発明の概要】
【発明が解決しようとする課題】
【００１１】
図９に示した構成のスポットライト５１では、一対の発光装置５２，５２を固定する受熱部５７が、ヒートシンク５３のベース部５６ａからスポットライト５１の光の出射方向に突出しているので、凹面反射鏡５４の高さ寸法が大きくなる可能性がある。
【００１２】
また、図１０に示した構成の照明装置では、レンズ６２の反射面６２ｃを光源６１の近くに配置しているので、この反射面６２ｃで全反射する光が少ない可能性があり、リフレクタ６３で反射する光の光量が少なくなる可能性がある。また、上述の照明装置では、反射面６２ｃで全反射する光が少なくなる可能性があるので、リフレクタ６３で反射する光の照射むらが生じ、この照明装置から光の照射むらが生じる可能性がある。
【００１３】
本発明は上記事由に鑑みて為されたものであり、その目的は、反射板の高さを低くしながらも反射板で反射する光の光量を増やすことが可能で、且つ、照射むらが生じるのを低減可能な照明器具を提供することにある。
【課題を解決するための手段】
【００１４】
本発明の照明器具は、ＬＥＤ光源部と、前記ＬＥＤ光源部からの光を所望の配光となるように制御する光学系とを備え、前記光学系は、前記ＬＥＤ光源部の光取り出し面側を覆うレンズと、前記レンズの周部を覆う椀状の反射板とで構成され、前記レンズは、前記ＬＥＤ光源部の光軸に交差する第１レンズ部と、前記ＬＥＤ光源部と前記反射板の反射面との間に位置し前記ＬＥＤ光源部を囲む第２レンズ部とを有し、前記第１レンズ部の光入射面に、円錐状の第１凹部が複数設けられ、前記各第１凹部の深さ寸法を、前記第１レンズ部の外周側ほど大きくし、前記第１レンズ部の中心側ほど小さくしてあることを特徴とする。
【００１５】
この照明器具において、前記光入射面の中央部は、平面状であることが好ましい。
【００１６】
この照明器具において、前記第１レンズ部の光出射面に、前記ＬＥＤ光源部からの光を前記ＬＥＤ光源部の光軸に対する角度が大きくなる方向に屈折させるための第２凹部が設けられてなることが好ましい。
【００１７】
この照明器具において、前記第２凹部は、円錐状であることが好ましい。
【発明の効果】
【００１８】
本発明の照明器具においては、反射板の高さを低くしながらも反射板で反射する光の光量を増やすことが可能で、且つ、照射むらが生じるのを低減可能となる。
【図面の簡単な説明】
【００１９】
【図１】実施形態１の照明器具に関し、（ａ）は概略断面図、（ｂ）はＬＥＤ光源部からの光の光路の説明図である。
【図２】同上の照明器具に関し、反射板を放熱部に取り付ける方法の説明図である。
【図３】同上の照明器具に関し、反射板を放熱部に取り付ける他の手段の概略斜視図である。
【図４】実施形態２の照明器具の概略断面図である。
【図５】同上の照明器具におけるレンズの上面図である。
【図６】実施形態３の照明器具に関し、（ａ）は概略断面図、（ｂ）はＬＥＤ光源部からの光の光路の説明図である。
【図７】実施形態４の照明器具の概略断面図である。
【図８】実施形態５の照明器具の概略断面図である。
【図９】従来例のスポットライトの断面図である。
【図１０】他の従来例の照明装置の説明図である。
【発明を実施するための形態】
【００２０】
（実施形態１）
本実施形態の照明器具（以下、ＬＥＤ照明器具）は、図１に示すように、ＬＥＤ光源部６と、ＬＥＤ光源部６からの光を所望の配光となるように制御する光学系１とを備えている。また、ＬＥＤ照明器具は、複数の放熱フィン４ｂを有する放熱部４を備えている。
【００２１】
ＬＥＤ光源部６は、青色光を放射する複数のＬＥＤチップ（図示せず）と、これら複数のＬＥＤチップを実装する１つの実装基板（図示せず）とを有している。また、ＬＥＤ光源部６は、複数のＬＥＤチップを覆い黄色蛍光体からなる蛍光体を含有した第１透光性材料により形成された色変換部（図示せず）を有している。第１透光性材料としては、例えば、シリコーン樹脂、エポキシ樹脂、ガラスなどを採用することができる。なお、複数のＬＥＤチップの電気的な接続関係は、直列接続もしくは並列接続であってもよいし、直列接続と並列接続とを組み合わせた接続であってもよい。
【００２２】
実装基板としては、例えば、金属ベースプリント配線板、セラミック基板などを用いることができる。本実施形態では、実装基板の平面視形状を、矩形状としているが、この形状に限らず、例えば、他の多角形状、円形状、楕円形状などであってもよい。
【００２３】
実装基板の一表面側には、複数のＬＥＤチップが密集して配置されている。また、実装基板の上記一表面側には、複数のＬＥＤチップに給電するための電線（図示せず）を電気的に接続した端子部（図示せず）が設けられている。さらに、実装基板の上記一表面側には、各ＬＥＤチップおよび端子部以外の部位の大部分を覆う白色のレジスト層などからなる反射層（図示せず）が形成されている。これにより、本実施形態のＬＥＤ照明器具では、複数のＬＥＤチップから放射された光が実装基板に吸収されるのを抑制することが可能となる。
【００２４】
本実施形態のＬＥＤ照明器具では、色変換部を、実装基板の上記一表面側に、例えばシリコーン樹脂などの接着剤により接合しているが、色変換部を実装基板に接合する方法は、これに限るものではない。なお、本実施形態では、色変換部の蛍光体として黄色蛍光体を用いているが、これに限らず、例えば、赤色蛍光体と緑色蛍光体とを用いてもよい。また、本実施形態では、ＬＥＤチップとして青色光を放射するＬＥＤチップを用いているが、これに限らず、例えば、紫〜近紫外線を放射するＬＥＤチップを用いてもよく、この場合、蛍光体として、例えば、赤色蛍光体と緑色蛍光体と青色蛍光体とを用いればよい。また、本実施形態では、ＬＥＤ光源部６から放射される光の色を、白色としているが、白色に限るものではない。
【００２５】
光学系１は、ＬＥＤ光源部６の光取り出し面側（図１では、下面側）を覆うレンズ２と、レンズ２の周部を覆う椀状の反射板３とで構成されている。
【００２６】
レンズ２は、第２透光性材料（例えば、アクリル樹脂、ガラスなど）により構成することができる。また、レンズ２は、ＬＥＤ光源部６の上記光取り出し面側を覆うドーム状に形成されている。本実施形態のＬＥＤ照明器具では、ＬＥＤ光源部６の光軸Ａ１とレンズ２の光軸Ａ２とを一致させるように、レンズ２をＬＥＤ光源部６の上記光取り出し面側に配置してある。
【００２７】
反射板３は、レンズ２の光出射面から出射される光の反射率が高い金属（例えば、アルミニウム、ステンレスなど）により形成することができる。本実施形態では、反射板３の材料として、金属を採用しているが、これに限らず、高耐熱の樹脂（例えば、ＰＢＴなど）を採用してもよく、この場合、反射板３の内周面３ａに、例えば、アルミニウムや銀などを蒸着したり、白色塗装を施したりすればよい。
【００２８】
また、反射板３の底部３ｂには、平面視において円形状の開口孔３ｃが貫設されている。この開口孔３ｃの内径寸法は、レンズ２の外径寸法よりも大きく設定されている。
【００２９】
放熱部４は、ＬＥＤ光源部６と接触可能な板状（例えば、円板状）の本体部４ａと、この本体部４ａにおいてＬＥＤ光源部６に接触する側とは反対側（図１では、上側）に立設された複数の放熱フィン４ｂとで構成することができる。
【００３０】
本体部４ａには、ＬＥＤ光源部６の実装基板の上記端子部に電気的に接続された上記電線を挿通するための電線挿通孔（図示せず）が、貫設されている。本実施形態では、ＬＥＤ光源部６を放熱部４に固定する手段として、固定ねじ（図示せず）を用いているが、ＬＥＤ光源部６を放熱部４に固定する手段は、これに限らず、例えば、電気絶縁性および熱伝導性を有する接着シートなどを用いてもよい。また、本実施形態では、レンズ２が、ＬＥＤ光源部６を内包するように、シリコーン樹脂などの接着剤により放熱部４に接合されている。これにより、本実施形態のＬＥＤ照明器具では、レンズ２によりＬＥＤ光源部６を保護することが可能となり、ＬＥＤ光源部６を保護するためのカバーを反射板３に取り付けた場合に比べて、ＬＥＤ光源部６を傷つけることなく反射板３を取り替えることが可能となる。
【００３１】
ところで、図９に示した構成の従来例のスポットライト５１では、一対の発光装置５２，５２を固定する受熱部５７を、スポットライト５１の光軸５９と平行になるように連結具５８によりベース部５６ａに連結してある。よって、上述のスポットライト５１では、熱伝達路の断面積が小さく、また、熱伝達路の長さが長くなるので、熱抵抗が大きくなる。
【００３２】
これに対して、本実施形態のＬＥＤ照明器具では、ＬＥＤ光源部６を放熱部４に直接取り付けているので、上述のスポットライト５１に比べて、放熱性を高めることが可能となる。
【００３３】
また、図１０に示した構成の従来例の照明装置に関し、特許文献２には、レンズ６２を保持する手段が記載されておらず、実際は、この手段により、光源６１から放射された光が遮られるものと推考される。
【００３４】
これに対して、本実施形態のＬＥＤ照明器具では、レンズ２をシリコーン樹脂などの接着剤により放熱部４に接合しているので、ＬＥＤ光源部６から放射された光を遮るものがなく、ＬＥＤ照明器具の器具効率を高めることが可能となる。
【００３５】
本実施形態のＬＥＤ照明器具では、反射板３の底部３ｂに、反射板３を放熱部４に取り付ける一対の取付孔７，７（図２（ａ）参照）が貫設されている。各取付孔７は、反射板３を放熱部４に取り付けるための取付ねじ９を挿通可能な平面視円形状の第１挿通孔７ａと、この第１挿通孔７ａと連通し取付ねじ９の脚部９ｂのみを挿通可能な平面視長円形状の第２挿通孔７ｂとを有する孔（いわゆる、だるま孔）である（図２（ｂ）参照）。なお、第１挿通孔７ａの内径寸法は、取付ねじ９の頭部９ａの外径寸法よりも大きく設定されている。
【００３６】
また、放熱部４の本体部４ａには、反射板３の底部３ｂの各第１挿通孔７ａに対応する部位の各々に、上述の取付ねじ９を各別に螺合するねじ孔（図示せず）が設けられている。なお、図２（ａ）中の二点鎖線は、ＬＥＤ光源部６およびレンズ２が配置される領域を表している。
【００３７】
以下、本実施形態のＬＥＤ照明器具に関する反射板３と放熱部４との結合方法の一例として、反射板３を放熱部４に取り付ける方法を説明する。
【００３８】
本実施形態では、まず、各取付ねじ９を、放熱部４の本体部４ａの上記各ねじ孔に仮止めする。次に、各取付ねじ９を、反射板３の底部３ｂの放熱部４側（図２（ａ）では、上側）から反射板３の底部３ｂの各第１挿通孔７ａに各別に挿通する。この状態で、各取付ねじ９が各第２挿通孔７ｂの位置まで各別に移動するように、反射板３をこの反射板３の周方向に沿った第１規定方向（本実施形態では、図２（ｂ）中の矢印で示すように、放熱部４から反射板３を見た状態で反射板３の中心軸Ａ３（図１参照）を中心として時計回り方向）に回動させる。そして、各取付ねじ９を、放熱部４の本体部４ａの上記各ねじ孔に螺合させることによって、反射板３を放熱部４に取り付けることができる。ところで、本実施形態では、反射板３を放熱部４に取り付ける際、反射板３の中心軸Ａ３がＬＥＤ光源部６の光軸Ａ１およびレンズ２の光軸Ａ２と一致するように、上記各ねじ孔を放熱部４の本体部４ａにそれぞれ設けている。すなわち、本実施形態では、ＬＥＤ光源部６の光軸Ａ１、レンズ２の光軸Ａ２および反射板３の中心軸Ａ３を一致させるように、反射板３が、レンズ２の周部を覆う形で配置されている。なお、本実施形態のＬＥＤ照明器具では、放熱部４から反射板３を取り外す場合、反射板３を上記第１規定方向とは逆向きの第２規定方向に回動させればよい。
【００３９】
ここにおいて、本実施形態のＬＥＤ照明器具では、各取付ねじ９を放熱部４の上記各ねじ孔に仮止めした後に、各取付ねじ９を反射板３の各第１挿通孔７ａに各別に挿通しているが、これに限らず、各取付ねじ９を反射板３の底部３ｂの放熱部４側とは反対側（図２（ａ）では、下側）から反射板３の各第１挿通孔７ａに各別に挿通した状態で、各取付ねじ９を放熱部４の上記各ねじ孔に仮止めしてもよい。また、本実施形態では、各取付ねじ９が各第２挿通孔７ｂの位置まで各別に移動するように、反射板３を上記第１規定方向に回動させているが、これに限らず、放熱部４を上記第２規定方向に回動させてもよい。また、本実施形態では、反射板３を放熱部４に取り付ける手段として、取付ねじ９を用いているが、これに限らず、例えば、図３に示すように、一対の引掛ばね１０ａ，１０ａが設けられ反射板３を保持する保持枠１０を用いてもよい。この場合には、放熱部４に一対の引掛部（図示せず）を予め設けておき、保持枠１０の一対の引掛ばね１０ａ，１０ａを放熱部４の上記各引掛部に各別に引掛けることによって、反射板３を放熱部４に取り付けることができる。
【００４０】
また、本実施形態のＬＥＤ照明器具では、反射板３の形状を、椀状としているが、レンズ２の光出射面から出射された光を反射して所望の配光が得られる形状であればよく、ＬＥＤ光源部６の光軸Ａ１に沿った光出射方向においてＬＥＤ光源部６から離れるに従って開口面積が徐々に大きくなる形状であればよい。
【００４１】
また、レンズ２は、ＬＥＤ光源部６の光軸Ａ１に交差する第１レンズ部２ａと、ＬＥＤ光源部６と反射板３の内周面（反射面）３ａとの間に位置しＬＥＤ光源部６を囲む第２レンズ部２ｂとを有している。本実施形態では、第１レンズ部２ａの光出射面が、平面状に形成されている。また、本実施形態では、第１レンズ部２ａの光入射面に、円錐状の第１凹部５が、複数設けられている。各第１凹部５の傾斜面５ａは、ＬＥＤ光源部６から放射された光を屈折する屈折面として作用する。
【００４２】
本実施形態のＬＥＤ照明器具では、各第１凹部５の形状を円錐状としているので、各第１凹部５の径寸法や深さ寸法を適宜変更することにより、各第１凹部５の傾斜面５ａにおける各第１凹部５の中心軸に対する傾斜角を変更することが可能となる。これにより、本実施形態のＬＥＤ照明器具では、レンズ２の光軸Ａ２を含む第１レンズ部２ａの断面内においてＬＥＤ光源部６から放射された光が入射する各第１凹部５の母線とレンズ２の光軸Ａ２とのなす角度を変更することが可能となる。よって、本実施形態のＬＥＤ照明器具では、各第１凹部５の傾斜面５ａに入射した光におけるＬＥＤ光源部６の光軸Ａ１に対する角度（開き角度）を調整することが可能となる。
【００４３】
ところで、本実施形態のＬＥＤ照明器具では、各第１凹部５の径寸法が、同じ寸法に設定されている。また、本実施形態では、各第１凹部５の深さ寸法が、第１レンズ部２ａの外周側ほど大きく、第１レンズ部２ａの中心側ほど小さく設定されている。具体的に説明すると、第１レンズ部２ａの外周側に設けられた第１凹部５の深さ寸法は、第１レンズ部２ａの中心側に設けられた第１凹部５の深さ寸法に比べて、大きくなるように設定されている。これにより、本実施形態のＬＥＤ照明器具では、第１レンズ部２ａの光入射面に第１凹部５を設けない場合に比べて、第１レンズ部２ａ（具体的には、各第１凹部５の傾斜面５ａ）に入射した光におけるＬＥＤ光源部６の光軸Ａ１に対する角度を大きくすることが可能となる（図１（ｂ）参照）。よって、本実施形態のＬＥＤ照明器具では、第１レンズ部２ａの光入射面に第１凹部５を設けない場合に比べて、反射板３の高さを低くしながらも反射板３の内周面（反射面）３ａに到達する光を増やすことが可能となり、反射板３で反射する光の光量を増やすことが可能となる。なお、図１（ｂ）では、ＬＥＤ光源部６から放射された光の光路の一例として、光Ｌ１〜Ｌ３の光路を矢印付きの二点鎖線で表している。ここで、光Ｌ１〜Ｌ３は、ＬＥＤ光源部６からの放射角についてみれば、Ｌ１＞Ｌ２＞Ｌ３となっている。
【００４４】
また、本実施形態のＬＥＤ照明器具では、反射板３の高さを低くしながらも反射板３で反射する光の光量を増やすことが可能となるので、反射板３の形状により所望の配光が得られるようにＬＥＤ光源部６からの光を制御することが可能となる。これにより、本実施形態のＬＥＤ照明器具では、反射板３の形状が異なる様々な反射板３を用いることによって、配光が異なる様々なＬＥＤ照明器具を提供することが可能となる。また、本実施形態のＬＥＤ照明器具では、反射板３の開口径や材料によって、ＬＥＤ光源部６の輝度を調整することが可能となる。
【００４５】
また、本実施形態のＬＥＤ照明器具では、第１レンズ部２ａの光入射面に第１凹部５を複数設けているので、例えば、各ＬＥＤチップの発光むらなどに起因してレンズ２の光出射面に光の照射むらが生じるのを低減することが可能となる。これにより、本実施形態のＬＥＤ照明器具では、反射板３の内周面（反射面）３ａに光の照射むらが生じるのを低減することが可能となり、ＬＥＤ照明器具から光の照射むらが生じるのを低減することが可能となる。
【００４６】
なお、本実施形態のＬＥＤ照明器具は、レンズ２および反射板３の形状を適宜変更することにより、例えば、ダウンライト、スポットライト、シーリングライト、ペンダントライトとして使用することができる。
【００４７】
以上説明した本実施形態のＬＥＤ照明器具では、ＬＥＤ光源部６と、ＬＥＤ光源部６からの光を所望の配光となるように制御する光学系１とを備えている。また、本実施形態のＬＥＤ照明器具では、光学系１が、ＬＥＤ光源部６の光取り出し面側を覆うレンズ２と、レンズ２の周部を覆う椀状の反射板３とで構成されている。さらに、本実施形態のＬＥＤ照明器具では、レンズ２が、ＬＥＤ光源部６の光軸Ａ１に交差する第１レンズ部２ａと、ＬＥＤ光源部６と反射板３の反射面３ａとの間に位置しＬＥＤ光源部６を囲む第２レンズ部２ｂとを有している。また、本実施形態のＬＥＤ照明器具では、第１レンズ部２ａの光入射面に、円錐状の第１凹部５が複数設けられている。そして、本実施形態のＬＥＤ照明器具では、各第１凹部５の深さ寸法を、第１レンズ部２ａの外周側ほど大きくし、第１レンズ部２ａの中心側ほど小さくしているので、反射板３の高さを低くしながらも反射板３で反射する光の光量を増やすことが可能で、且つ、照射むらが生じるのを低減することが可能となる。
【００４８】
（実施形態２）
本実施形態のＬＥＤ照明器具は、基本構成が実施形態１と略同じであり、図４および図５に示すように、第１レンズ部２ａの光入射面の中央部が平面状である点が実施形態１と相違する。なお、実施形態１と同様の構成要素には同一の符号を付して説明を適宜省略する。
【００４９】
しかして、本実施形態のＬＥＤ照明器具では、第１レンズ部２ａの光入射面の中央部が平面状であるので、ＬＥＤ光源部６から放射された光を、第１レンズ部２ａの中央部の光入射面からこの中央部の光出射面側へ取り出すことが可能となり、実施形態１のＬＥＤ照明器具に比べて、ＬＥＤ照明器具の器具効率を高めることが可能となる。
【００５０】
（実施形態３）
本実施形態のＬＥＤ照明器具は、基本構成が実施形態１と略同じであり、図６に示すように、第１レンズ部２ａの光出射面に、ＬＥＤ光源部６からの光をＬＥＤ光源部６の光軸Ａ１に対する角度が大きくなる方向に屈折させるための第２凹部８を設ける点が実施形態１と相違する。なお、実施形態１と同様の構成要素には同一の符号を付して説明を適宜省略する。
【００５１】
第２凹部８の形状は、円錐状である。本実施形態では、第２凹部８の大きさを、各第１凹部５の各々の大きさよりも大きく設定してある。また、本実施形態では、第２凹部８の中心軸Ａ４がＬＥＤ光源部６の光軸Ａ１、レンズ２の光軸Ａ２および反射板３の中心軸Ａ３と一致するように、第２凹部８が、第１レンズ部２ａの光出射面に設けられている。
【００５２】
本実施形態のＬＥＤ照明器具では、第２凹部８の形状を円錐状としているので、第２凹部８の径寸法や深さ寸法を適宜変更することにより、第２凹部８の傾斜面８ａにおける第２凹部８の中心軸Ａ４に対する傾斜角を変更することが可能となる。これにより、本実施形態のＬＥＤ照明器具では、第２凹部８の傾斜面８ａから出射する光におけるＬＥＤ光源部６の光軸Ａ１に対する角度を調整することが可能となる。
【００５３】
したがって、本実施形態のＬＥＤ照明器具では、第１レンズ部２ａの光出射面に第２凹部８を設けているので、実施形態１のＬＥＤ照明器具に比べて、第１レンズ部２ａの光出射面から出射する光をＬＥＤ光源部６の光軸Ａ１に対する角度が大きくなる方向に屈折させることが可能となる（図６（ｂ）参照）。なお、図６（ｂ）に示した本実施形態のＬＥＤ照明器具では、ＬＥＤ光源部６から放射された光Ｌ１〜Ｌ３の放射角を、図１（ｂ）に示した実施形態１のＬＥＤ照明器具におけるＬＥＤ光源部６から放射された光Ｌ１〜Ｌ３の放射角と同じになるように表している。
【００５４】
以上説明した本実施形態のＬＥＤ照明器具では、第１レンズ部２ａの光出射面に、ＬＥＤ光源部６からの光をＬＥＤ光源部６の光軸Ａ１に対する角度が大きくなる方向に屈折させるための第２凹部８を設けているので、実施形態１のＬＥＤ照明器具に比べて、反射板３の高さをより低くしながらも反射板３で反射する光の光量をさらに増やすことが可能となる。
【００５５】
（実施形態４）
本実施形態のＬＥＤ照明器具は、基本構成が実施形態３と略同じであり、図７に示すように、第１レンズ部２ａの光出射面に、実施形態３のＬＥＤ照明器具における第２凹部８とは異なる形状の第３凹部１１を設ける点が実施形態３と相違する。なお、実施形態３と同様の構成要素には同一の符号を付して説明を適宜省略する。
【００５６】
第３凹部１１は、第１レンズ部２ａの光出射面の中央部に設けられＬＥＤ光源部６からの光をＬＥＤ光源部６の光軸Ａ１に対する角度が大きくなる方向に屈折させるための第１凹所１１ａを有している。
【００５７】
第１凹所１１ａの形状は、円錐台形状である。また、第１凹所１１ａの傾斜面は、第１レンズ部２ａの光出射面の中心に向かって傾斜するように形成されている。本実施形態では、第１凹所１１ａの中心軸Ａ５がＬＥＤ光源部６の光軸Ａ１、レンズ２の光軸Ａ２および反射板３の中心軸Ａ３と一致するように、第１凹所１１ａが、第１レンズ部２ａの光出射面の中央部に設けられている。また、本実施形態では、第１凹所１１ａの大きさを、各第１凹部５の各々の大きさよりも大きく設定してある。
【００５８】
また、第３凹部１１は、第１レンズ部２ａの光出射面における第１凹所１１ａの外周部に設けられＬＥＤ光源部６からの光をＬＥＤ光源部６の光軸Ａ１に対する角度が大きくなる方向に屈折させるための第２凹所１１ｂを有している。
【００５９】
第２凹所１１ｂの形状は、円錐台形状である。また、第２凹所１１ｂの傾斜面は、第１レンズ部２ａの光出射面の中央部に向かって傾斜するように形成されている。本実施形態では、第２凹所１１ｂの中心軸Ａ６がＬＥＤ光源部６の光軸Ａ１、レンズ２の光軸Ａ２および反射板３の中心軸Ａ３と一致するように、第２凹所１１ｂが、第１レンズ部２ａの光出射面における第１凹所１１ａの外周部に設けられている。また、本実施形態では、第２凹所１１ｂの大きさを、第１凹所１１ａの大きさよりも大きく設定してある。また、本実施形態では、第２凹所１１ｂの傾斜面における第２凹所１１ｂの中心軸Ａ６に対する傾斜角を、第１凹所１１ａの傾斜面における第１凹所１１ａの中心軸Ａ５に対する傾斜角と同じになるように設定してある。
【００６０】
以上説明した本実施形態のＬＥＤ照明器具でも、第１レンズ部２ａの光出射面に、ＬＥＤ光源部６からの光をＬＥＤ光源部６の光軸Ａ１に対する角度が大きくなる方向に屈折させるための第３凹部１１を設けているので、実施形態１のＬＥＤ照明器具に比べて、反射板３の高さをより低くしながらも反射板３で反射する光の光量をさらに増やすことが可能となる。
【００６１】
（実施形態５）
本実施形態のＬＥＤ照明器具は、基本構成が実施形態２と略同じであり、図８に示すように、第１レンズ部２ａの光出射面に、ＬＥＤ光源部６からの光をＬＥＤ光源部６の光軸Ａ１に対する角度が大きくなる方向に屈折させるための第４凹部１２を設ける点が実施形態２と相違する。なお、実施形態２と同様の構成要素には同一の符号を付して説明を適宜省略する。
【００６２】
第４凹部１２の形状は、円錐台形状である。また、第４凹部１２は、第１レンズ部２ａの中央部の光入射面からの光をこの中央部の光出射面側へ取り出す平坦面１２ａと、ＬＥＤ光源部６からの光をＬＥＤ光源部６の光軸Ａ１に対する角度が大きくなる方向に屈折させる傾斜面１２ｂとで構成されている。本実施形態では、第４凹部１２の中心軸Ａ７がＬＥＤ光源部６の光軸Ａ１、レンズ２の光軸Ａ２および反射板３の中心軸Ａ３と一致するように、第４凹部１２が、第１レンズ部２ａの光出射面に設けられている。また、本実施形態では、第４凹部１２の大きさを、各第１凹部５の各々の大きさよりも大きく設定してある。
【００６３】
平坦面１２ａは、第１レンズ部２ａの中央部の光出射面に設けられている。これにより、本実施形態のＬＥＤ照明器具では、第１レンズ部２ａの中央部の光入射面からの光を、この中央部の光出射面側へ取り出すことが可能となる。
【００６４】
傾斜面１２ｂは、第１レンズ部２ａの周部の光出射面に設けられている。また、傾斜面１２ｂは、平坦面１２ａに向かって傾斜するように形成されている。これにより、本実施形態のＬＥＤ照明器具では、ＬＥＤ光源部６からの光を、ＬＥＤ光源部６の光軸Ａ１に対する角度が大きくなる方向に屈折させることが可能となる。
【００６５】
以上説明した本実施形態のＬＥＤ照明器具では、第１レンズ部２ａの光出射面に、ＬＥＤ光源部６からの光をＬＥＤ光源部６の光軸Ａ１に対する角度が大きくなる方向に屈折させるための第４凹部１２を設けているので、実施形態２のＬＥＤ照明器具に比べて、反射板３の高さをより低くしながらも反射板３で反射する光の光量をさらに増やすことが可能となる。
【符号の説明】
【００６６】
１  光学系
２  レンズ
２ａ  第１レンズ部
２ｂ  第２レンズ部
３  反射板
３ａ  内周面（反射面）
５  第１凹部
６  ＬＥＤ光源部
８  第２凹部
Ａ１  光軸
【図１】
2014011015.tif 000003
【図２】
2014011015.tif 000004
【図３】
2014011015.tif 000005
【図４】
2014011015.tif 000006
【図５】
2014011015.tif 000007
【図６】
2014011015.tif 000008
【図７】
2014011015.tif 000009
【図８】
2014011015.tif 000010
【図９】
2014011015.tif 000011
【図１０】
2014011015.tif 000012